(57)【要約】【課題】  高所における作業を回避し得る掛止構造を提供するとともに、容易に吊下部材を掛止しまたは解除できる掛止方法を提供する。【解決手段】  掛止構造は、屋根部材３から床部材１に向かって突設され、吊下部材８を掛止する掛止突起６と、この掛止突起を延長する延長部材７とを備え、延長部材は、屋根部材から床部材までの間に介在される本体部７０ａと、この本体部の一端に形成され、掛止突起に着脱可能に接続される接続部７１と、床部材に着脱可能に装着されるブラケット部７０ｂとを備える。掛止方法は、吊下部材を掛止突起に玉掛けし、掛止突起に掛止突起延長部材の接続部を接続させるとともに、ブラケット部を床部材に装着する。【選択図】  図４
2015021311.tif 000002
【特許請求の範囲】
【請求項１】
組立建物を構成するためにユニットごとに構築され、床部材と、この床部材に下端を固定されて立設する柱部材と、この柱部材に支持される屋根部材とを備えるユニット構造物において、このユニット構造物を吊下部材で吊下するための掛止構造であって、
前記屋根部材から前記床部材に向かって突設され、前記吊下部材を掛止する掛止突起と、この掛止突起を延長する延長部材とを備え、
前記延長部材は、前記屋根部材から前記床部材までの間に介在される本体部と、この本体部の一端に形成され、前記掛止突起に着脱可能に接続される接続部と、前記床部材に着脱可能に装着されるブラケット部とを備えることを特徴とするユニット構造物における吊下部材の掛止構造。
【請求項２】
前記本体部は、筒状部材で構成されており、前記接続部は、前記本体部の一端において開口し、前記掛止突起の挿入を許容する開口部で構成されている請求項１に記載のユニット構造物における吊下部材の掛止構造。
【請求項３】
前記ブラケット部は、前記本体部に固着される接合領域と、前記床部材に装着される装着領域とに区分され、前記装着領域は、前記床部材の所定の位置に当接する平面状に形成されている請求項１または２に記載のユニット構造物における吊下部材の掛止構造。
【請求項４】
前記床部材は、周囲を梁材により包囲されており、前記ブラケット部は、前記梁材に装着されるものである請求項１ないし３のいずれかに記載のユニット構造物における吊下部材の掛止構造。
【請求項５】
前記屋根部材は、周囲を梁材により包囲されるとともに、該梁材によって屋根表面に雨樋が形成されており、前記掛止突起は、前記梁材に下向きに立設されるとともに、少なくとも１つの掛止突起には、その内部および梁材を貫通する貫通孔が設けられている請求項１ないし４のいずれかに記載のユニット構造物における吊下部材の掛止構造。
【請求項６】
前記床部材および屋根部材は、それぞれ二本の長辺側梁材および二本の短辺側梁材により長方形状に形成された周辺部を備えており、前記掛止突起は、前記屋根部材の短辺側梁材に突設され、前記ブラケット部は、前記床部材の短辺側梁材に装着されるものである請求項１ないし５のいずれかに記載のユニット構造物における吊下部材の掛止構造。
【請求項７】
請求項１ないし６のいずれかに記載の掛止構造を利用する吊下部材の掛止方法であって、
吊下部材を前記掛止突起に玉掛けし、前記掛止突起に前記掛止突起延長部材の接続部を接続させるとともに、前記ブラケット部を前記床部材に装着することを特徴とする吊下部材の掛止方法。
【請求項８】
請求項１ないし６のいずれかに記載の掛止構造を利用する吊下部材の掛止方法であって、
前記掛止突起延長部材の本体部を吊下部材の玉掛け部分に挿通し、該掛止突起延長部材の接続部を前記掛止突起に接続させるとともに、前記ブラケット部を前記床部材に装着し、前記吊下部材の玉掛け部分を掛止突起近傍に移動させることを特徴とする吊下部材の掛止方法。
【発明の詳細な説明】
【技術分野】
【０００１】
本発明は、組立建物を構築するためにユニットごとに構築されるユニット構造物において、これを吊下するために使用する吊下部材の掛止構造と、吊下部材によって掛止させるための掛止方法に関するものである。
【背景技術】
【０００２】
一般的に、仮設建物などのように短期間で構築できる建物としては組立建物があり、この組立建物は、ユニット単位で構築されるものを所定の場所に設置することによって構築されていた。単一のユニットによって構築されるものを単棟式といい、複数のユニットを連結して一体の建物を構築するものを連棟式という。連棟式の組立建物は、複数のユニットを連結する構造であることから、それぞれのユニットが独立した箱形に構成されるものであり、これら複数のユニット構造物を個別に構築したうえで、所定の位置にクレーンで吊り上げて移動させていた。このクレーンによる吊り上げのために、従来は、屋根部材に吊下部材に先端を連結するための部材が設けられる構成となっていた（特許文献１，２参照）。
【先行技術文献】
【特許文献】
【０００３】
【特許文献１】特開平１０−３１７４９７号公報
【特許文献１】特開２００１−５５７９１号公報
【発明の概要】
【発明が解決しようとする課題】
【０００４】
特許文献に開示されるように、屋根部材に連結用部材を設ける構造の場合には、ワイヤ等の吊下部材の取り付けおよび取り外しは、作業する者が連結部材に手が届くところまで移動しなければならず、一般的には屋根部材のうえに乗って作業していた。
【０００５】
しかしながら、通常の屋根部材は２ｍを超える高さとなるため、屋根部材上で作業する際には転落防止用の設備を設置しなければならなかった。また、脚立または足場台を使用するとしても、吊下部材と連結用部材との連結が複雑な場合には、その取り付けおよび取り外しが容易ではなく、不安定な姿勢を長時間継続することとなり、やはり転落防止のための措置を講じる必要が生じていた。
【０００６】
特に、組立建物が二階建ての場合には、二階部分の屋根の高さは６ｍ程度となることから、高所作業に伴う転落防止設備の設置が義務づけられることとなり、そのため、転落防止設備の設置および解体のための作業に時間を要し、結果として組立建物の設置工事を長期化させるものとなっていた。
【０００７】
本発明は、上記諸点にかんがみてなされたものであって、その目的とするところは、高所における作業を回避し得る掛止構造を提供するとともに、容易に吊下部材を掛止しまたは解除できる掛止方法を提供することである。
【課題を解決するための手段】
【０００８】
そこで、ユニット構造物における吊下部材の掛止構造にかかる本発明は、組立建物を構成するためにユニットごとに構築され、床部材と、この床部材に下端を固定されて立設する柱部材と、この柱部材に支持される屋根部材とを備えるユニット構造物において、このユニット構造物を吊下部材で吊下するための掛止構造であって、前記屋根部材から前記床部材に向かって突設され、前記吊下部材を掛止する掛止突起と、この掛止突起を延長する延長部材とを備え、前記延長部材は、前記屋根部材から前記床部材までの間に介在される本体部と、この本体部の一端に形成され、前記掛止突起に着脱可能に接続される接続部と、前記床部材に着脱可能に装着されるブラケット部とを備えることを特徴とするものである。
【０００９】
上記構成によれば、掛止突起に吊下部材を玉掛けすることができるとともに、掛止突起に延長部材が接続されることによって、玉掛けされた吊下部材が掛止突起から抜け落ちることを回避することができる。また、延長部材は、接続部が掛止突起に接続された状態で、ブラケット部が床部材に装着されることによって、ユニット構造物と一体となり、吊下部材の引張力によって横向きの力が作用する場合であっても、ユニット構造物から容易に分離されることはなく、吊下部材の引張力を掛止突起に作用させることができる。
【００１０】
なお、吊下部材とは、ワイヤやスリングベルトなどのように、クレーン等によってユニット構造物を吊り下げる際に使用される長尺な紐状の部材であり、玉掛けとは、上記吊下部材の先端によって環状を形成し、当該環状部分と掛止突起に引っ掛ける状態とする掛止の形態である。
【００１１】
上記発明においては、本体部を筒状部材で構成し、接続部を本体部の一端において開口させた開口部とし、開口部が前記掛止突起の挿入を許容するように構成することができる。
【００１２】
上記構成によれば、掛止突起は、屋根部材から床部材に向かって下向きに突設されていることから、その掛止突起の先端に対して下方から接続部を接近させることにより、開口部に掛止突起の先端を挿入させることによって接続を可能とするものである。つまり、高所に位置する掛止突起と延長部材とを接続するために、高所で作業することなく、低い場所から上向きに接続部を持ち上げることで可能としているのである。
【００１３】
また、上記各発明においては、前記ブラケット部を、前記本体部に固着される接合領域と、前記床部材に装着される装着領域とに区分し、前記装着領域を、前記床部材の所定の位置に当接する平面状に形成する構成としてもよい。
【００１４】
上記構成によれば、ブラケット部に形成される平面状の装着領域が、適宜面積で床部材に当接しつつ装着されることから、当該装着領域が床部材に当接する状態において、本体部の軸線方向を安定させることができる。すなわち、延長部材は、床部材と屋根部材の間に介在されるものであることから、両者間は大きく離れており延長部材の本体部は長尺となるが、その下端において装着領域が床部材と面接触することによって、長尺な本体部を所定の方向に立設させた状態とすることができるのである。
【００１５】
さらに、上記各発明において、床部材は、周囲を梁材により包囲された構成とし、ブラケット部は、前記梁材に装着されるように構成することができる。
【００１６】
上記構成によれば、床部材の基本構造を構成する梁材に延長部材の下端が固定されることとなるため、ユニット構造物が吊下された状態における床部材の撓みの影響を受けることがなく、延長部材の設置状態が変化することを回避できることとなる。
【００１７】
また、上記各発明において、屋根部材は、周囲を梁材により包囲されるとともに、該梁材によって屋根表面に雨樋が形成される構成とし、掛止突起は、前記梁材に下向きに立設されるとともに、少なくとも１つの掛止突起には、その内部および梁材を貫通する貫通孔が設けられた構成とすることができる。
【００１８】
上記構成によれば、吊下部材は屋根部材の梁材（屋根部材の周縁）で掛止することができるとともに、掛止突起および梁材の内部に貫通孔が設けられることにより、垂直樋に連続させるための排水部として利用することも可能となる。
【００１９】
さらに、上記各発明において、床部材および屋根部材は、それぞれ二本の長辺側梁材および二本の短辺側梁材により長方形状に形成された周辺部を備える構成とし、掛止突起は、前記屋根部材の短辺側梁材またはその近傍に突設され、ブラケット部は、前記床部材の短辺側梁材に装着される構成とすることができる。
【００２０】
上記構成によれば、ユニット構造物は直方体に形成されることとなり、その直方体の短辺側を吊下部材によって吊下させることができる。このように、短辺側によって吊下させることにより、吊下による撓みの発生を抑えることができるとともに、長辺側を連続させてなる連棟型組立建物を構築する際に、吊下部材が隣接するユニット構造物の端縁を掛止する状態とならず、当該吊下部材の掛止および解除の作業を組立建物の側面から行うことができることとなる。
【００２１】
他方、吊下部材の掛止方法にかかる本発明は、前記掛止構造にかかるいずれかの発明を利用するものであって、吊下部材を前記掛止突起に玉掛けし、前記掛止突起に前記掛止突起延長部材の接続部を接続させるとともに、前記ブラケット部を前記床部材に装着することを特徴とするものである。
【００２２】
上記構成によれば、クレーン等によって引き上げられるべき吊下部材の先端を掛止突起に掛止した状態において、当該掛止突起の先端は、延長部材の接続によって無端状態となり、吊下部材の掛止状態が不用意に解除されることを回避することができる。また、延長部材の下端は、ブラケット部によって、床部材に装着固定されることから、クレーン等による引き上げ時に、吊下部材に作用する引張力によって延長部材が掛止突起から離脱することをも抑えることができる。
【００２３】
また、吊下部材の掛止方法にかかる他の発明は、前記掛止構造にかかるいずれかの発明を利用するものであって、前記掛止突起延長部材の本体部を吊下部材の玉掛け部分に挿通し、該掛止突起延長部材の接続部を前記掛止突起に接続させるとともに、前記ブラケット部を前記床部材に装着し、前記吊下部材の玉掛け部分を掛止突起近傍に移動させることを特徴とするものである。
【００２４】
上記構成によれば、吊下部材を直接掛止突起に掛止できない場合であっても、先に、吊下部材先端の玉掛け部分（環状部）を延長部材に挿入し、その後、当該延長部材を掛止突起に接続することにより、延長部材が掛止突起の一部として機能することとなり、結果的に掛止突起に掛止される状態とすることができる。なお、吊下部材の玉掛け部分（環状部）を掛止突起近傍に移動させるためには、特別な作業を必要とするものではなく、玉掛け部分（環状部）が延長部材に遊挿される状態とすることにより、吊下時（吊下部材が引き上げられる際）における吊下部材の上昇に伴って必然的に移動することとなるものである。
【発明の効果】
【００２５】
ユニット構造物における吊下部材の掛止構造にかかる本発明によれば、掛止突起の突出長を実質的に変化させることとなり、吊下部材の掛止作業時または解除作業時には、掛止突起の突出長を短くした状態とし、吊下時には、掛止突起の突出長を長くした状態とすることができる。そして、掛止突起の突出長を短くするためには、延長部材を取り外せばよく、その作業はブラケット部の装着を解除すればよいことから、床部材の高さにおいて作業することができる。さらに、吊下部材は、その緊張状態を弛緩することによって、下端を容易に下降させることができ、掛止突起の突出長が短い状態であれば僅かに下降させることによって、掛止状態を解除させることが可能となる。従って、ユニット構造物を所定の位置に設置した後において、屋根部材の高さでの掛止解除のための作業を不要とすることができるものである。特に、二階建ての組立建物を構築する際には、二階部分に設置されるユニット構造物の床部材の高さで作業することができることから、高所での作業を避け、比較的低い場所での作業を可能にするものである。なお、屋根部材の梁材および掛止突起を貫通する貫通孔を設ける構成の場合には、吊下作業の後、当該掛止突起を排水部として有効に利用することができるとともに、延長部材と同様の長尺な筒状部材を装着することによって垂直樋を設置することが可能となる。
【００２６】
また、掛止方法にかかる本発明によれば、吊下部材が掛止突起に掛止された状態を維持することが可能となる。また、先に延長部材に吊下部材の玉掛け部分を挿通させる場合には、延長部材によって、玉掛け部分を掛止突起に案内させることができることとなり、玉掛け部分を掛止突起に係止させる作業を床部材の高さによって行うことが可能となる。さらに、この延長部材を取り外すことによって掛止状態を解除させることができることから、そのための作業を極めて容易にすることができる。
【図面の簡単な説明】
【００２７】
【図１】ユニット構造物の概略を示す説明図である。
【図２】ユニット構造物の連棟状態を示す説明図である。
【図３】掛止構造にかかる本発明の実施形態を示す説明図である。
【図４】延長部材の詳細を示す説明図である。
【図５】掛止方法にかかる本発明の実施形態を示す説明図である。
【図６】組立建物の構築方法を示す説明図である。
【図７】組立建物の構築方法を示す説明図である。
【発明を実施するための形態】
【００２８】
以下、本発明の実施の形態を図面に基づいて説明する。まず、本発明の掛止構造および掛止方法が使用されるユニット構造物の概略について説明する。図１は、ユニット構造物を示す図である。この図に示されるように、ユニット構造物Ｕは、床部材１と、この床部材１に下端を固定された状態で立設される柱部材２と、この柱部材２によって支持される屋根部材３とで骨組みが構成されるものである。
【００２９】
床部材１は、二つの長辺側梁材１１，１２と短辺側梁材１３，１４とで長方形状の枠体が形成され、その梁材１１〜１４に複数枚の床板１０が架け渡されて構成されている。４つの梁材１１〜１４の先端が接する位置には、梁材１１〜１４の端部が相互に接合されるとともに、柱部材２を固定するための接合部１５，１６，１７，１８が設けられている。
【００３０】
柱部材２は、前記梁材１１〜１４によって構成される長方形状の枠体の四隅に下端が固定された状態の４本の柱２１，２２，２３，２４が立設されて構成されている。この固定には、前記接合部１５〜１８が使用され、具体的には、有底筒状の接合部１５〜１８に柱２１〜２４の下端を挿入した状態でボルト等により締着固定されるものである。
【００３１】
屋根部材３は、床部材１と同様に、長辺側梁材３１，３２と短辺側梁材３３，３４とで長方形状の枠体が形成され、その枠体の内側に屋根表面部材４が張設されている。なお、柱２１〜２４の上端と梁部材３の梁材３１〜３４との接合は、当該柱２１〜２４の上端縁に梁材３１〜３４の一部が載置されるとともに、一部をボルト等により固定されるものである。
【００３２】
このように、床部材１、柱部材２および屋根部材３によって構築されるユニット構造物Ｕの骨組み構造は、直方体を形成するものであり、床部材１および屋根部材３を構成するそれぞれの長辺側梁材１１，１２，３１，３２が、ユニット構造物Ｕの長尺側端縁を形成し、短辺側梁材１３，１４，３３，３４が、ユニット構造物Ｕの短尺側端縁を形成することとなる。そして、床部材１の各梁材１１〜１４、柱部材２を形成する各柱２１〜２４および屋根部材３の各梁材３１〜３４によって形成される周辺の四辺形状枠部分には、壁部材、窓部材または扉部材などを有するパネルが設置され、周辺を遮蔽する建物構造体が構築されるのである。
【００３３】
また、屋根部材３を構成する屋根表面部材４は、屋根部材３の長方形状の枠体の内側において、長手方向に連続する長尺な突起部４１が、短尺方向に適宜間隔を有して設けられ、全体として概略波形に形成されている。この突起部４１により、その中間部分が樋状となり、雨水の排水に供されることとなる。また、図示を省略しているが、突起部４１の両端は屋根表面部材４の短尺部分に到達しておらず、突起部４１の両端と短辺側梁材３３，３４との間にも樋部が形成されている。また、屋根表面部材４のうち、前記樋部が形成される領域には、部分的に貫通孔が穿設され、垂直樋を設置することによって、下方への雨水の流下を可能にしている。
【００３４】
ユニット構造物Ｕの構成は、上記のとおりであるから、組立建物を構築する場合は、上記ユニット構造物Ｕを１個のみ設置して使用する場合のほか、同種複数のユニット構造物Ｕを連棟することにより、広い室内空間を有する組立建物を構築する場合がある。
【００３５】
そこで、複数のユニット構造物Ｕを連棟する場合は、図２に示すように、ユニット構造物Ｕａ，Ｕｂの長尺側端縁を隣接しつつ設置し、短尺側端縁を直線状に連続させるのである。このとき、広い室内空間を形成するためには、各ユニット構造物Ｕａ，Ｕｂの周辺の四辺形状枠部分のうち、隣接する部分は壁部材等を有するパネルによって遮蔽せず、それ以外の残りの枠部分にのみパネルを設置して遮蔽されるものである。そして、隣接するユニット構造物Ｕａ，Ｕｂのうち、隣接する二本の柱（２１ａと２３ｂ），（２２ａと２４ｂ）の間に形成される間隙には、目張り材（シール材）が室内側から設けられ、屋根部材３ａ，３ｂのうち両者が対向する端縁部（梁材）３１ａ，３２ｂの間に生じる間隙には屋根カバー５が設けられるのである。
【００３６】
ところで、連棟すべきユニット構造物Ｕａ，Ｕｂの設置には、クレーン（図示せず）等によってユニット構造物Ｕａ，Ｕｂを順次吊り上げ、所定の位置に移動することによって隣接した状態で設置されるものである。つまり、連棟すべき場所とは異なるところで、予めユニット構造物Ｕａ，Ｕｂが構築され、その後、所定の位置に移動されるものである。そして、一階部分を構築する場合には、予め地上に構築した基礎部Ｂ１〜Ｂ５に設置されるものであり、二階部分を構築する場合は、先に設置したユニット構造物Ｕの上に設置されるのである。従って、先に設置されるユニット構造物Ｕａに対して、後に設置されるユニット構造物Ｕｂが隣接されるように設置され、両者が連結されるのである。このとき、屋根カバー５は、後に設置されるユニット構造物Ｕｂに予め設置するとともに、当該屋根カバー５の一部を横向きに大きく突出させておくことによって、先のユニット構造物Ｕａに隣接して設置するとき、隣接する両ユニット構造物Ｕａ，Ｕｂの屋根部材の間隙に屋根カバー５を設置することができる。これにより、屋根カバー５の設置のための高所における作業を回避することができるのである。
【００３７】
上記のように、ユニット構造物Ｕａ，Ｕｂは、それぞれクレーン等によって所定位置に移動されるものであるところ、そのクレーン等による吊下のために使用する吊下部材がユニット構造物Ｕａ，Ｕｂに掛止されるのである。
【００３８】
そこで、次に、吊下部材の掛止構造にかかる実施形態について詳述する。図３は、屋根部材に設けられる掛止突起周辺を拡大した図である。この図に示されているように、ユニット構造物Ｕの屋根部材３を構成する短辺側梁材３３，３４には、下向きに突出する掛止突起６が設けられている。本実施形態における短辺側梁材３３，３４は、対向する上下の平面部６１，６２と、両平面部を連続する連続部６３とで、断面コ字状に形成されており、上下の平面部６１，６２の端縁を天井表面部材４に向けて配置されている。そこで、掛止突起６は、この梁材３３，３４の下側平面部６２に立設されるものである。
【００３９】
また、この掛止突起６は延長部材７を接続することによって、実質的な突出長を延長することができるものである。この延長部材７の上端７１は開口しており、この上端開口部（接続部）７１に掛止突起６を挿入させることによって、両者を接続させることができるものである。そして、吊下部材８の先端（玉掛け部分）８１は、延長部材７を接続する前に、掛止突起６に挿通させておくことにより、突出長が延長した後は、容易に掛止状態を解除できないこととなるのである。なお、図３には、円形筒状の延長部材７を示しているが、これは、掛止突起６の断面形状を円形としたためであり、掛止突起６の形状に応じて適宜変更してもよい。
【００４０】
上記延長部材７は、図４に示すように、長尺な筒状部材による本体部７０ａの下端７２の近傍にブラケット部７０ｂが固着されて構成されている。ブラケット部７０ｂは、略Ｌ字形の板状部材によって構成され、接合領域７３と、装着領域７４とに区分されている。接合領域７３には、数個（図は２個）の貫通孔７５，７６が穿設されており、本体部７０ａの下端７２の近傍に穿設される貫通孔７７，７８を使用して締着部材によって固着できるようになっている。
【００４１】
他方、装着領域７４は、適度な面積を有しており、その一部に貫通孔７９が穿設されている。この装着領域７４の表面は、前記接合領域７３の表面に直交するように配置されており、本体部７０ａの軸線を鉛直方向に向けるとき、装着領域７４の上下表面は水平となるようになっている。従って、装着領域７４の下面を床部材１の梁材（短辺側梁材）１３，１４（図１参照）の上部表面に当接させることにより、当該梁材１３，１４の表面に対して垂直となる方向に、本体部７０ａを立設することができるものである。
【００４２】
また、装着領域７４に設けられる貫通孔７９は、床部材の梁材１３，１４に予め設けられる貫通孔との間で締着部材等によって固定されるものである。この梁材１３，１４の貫通孔は、例えば、アンカーボルトを挿通するために穿設されたものを代用することができるほか、延長部材７を装着するための専用の貫通孔を設けてもよい。いずれにしても、延長部材７の上端７１に形成される上端開口部（接続部）７１が前記掛止突起６に接続された状態で、下端が移動しないように装着できればよく、その装着位置は任意に選択することができる。従って、装着領域７４は、床部材１の梁材１３，１４の上面に限定されるものではない。この場合、装着領域７４の表面は、必ずしも接合領域７３に直交するものではない。ただし、上述のように、梁材１３，１４の上面に設置する場合は、本体部７０ａの軸線方向を鉛直方向に向けて安定させることができるという効果を有するものとなる。
【００４３】
本実施形態の掛止構造は上記のとおりであるから、これを利用する掛止方法は、次のとおり、二種類の方法が考えられる。
【００４４】
すなわち、第１の方法は、図５（ａ）に示すように、吊下部材（ワイヤまたはスリングベルト）１０８の玉掛け部分（環状部）１８１を掛止突起１０６に引っ掛けておき（仮の掛止状態としておき）、その後に延長部材１０７を接続する方法である。この方法は、掛止突起１０６は短いながらも突出していることから、その突出長を利用して仮の掛止が可能であり、最終的に、延長部材１０７を接続することにより、突出長を延長させて確実な掛止状態とするものである。
【００４５】
また、第２の方法は、図５（ｂ）に示すように、延長部材２０７に玉掛け部分２８１を挿通させた後、その状態で、当該延長部材２０７を掛止突起２０６に接続させる方法である。この方法は、一義的には直接的に掛止突起２０６に掛止されるものではないが、図５（ｃ）に示すように、吊下部材２０８が引き上げられる（吊下の際に引張力が付与する）ときに、玉掛け部分２８１が上方に移動し、ちょうど掛止突起２０６の位置まで移動することによって、最終的には掛止突起２０６によって掛止するものである。
【００４６】
なお、図示のように、延長部材１０７，２０７は、掛止突起１０６，２０６を挿入するような状態で接続されることから、係止部材１０８，２０８の玉掛け部分１８１，２８１は、延長部材１０７，２０７の表面に接した状態となっているが、この内部には掛止突起１０６，２０６が存在するため、実質的には、当該延長部材１０７，２０７の周辺部材を介して係止部材１０６，２０６に掛止されているのである。
【００４７】
本発明の実施形態は以上のとおりであることから、上記掛止方法を使用することによって、連棟式組立建物を構築する際のユニット構造物を容易に移動させることができる。そこで、次に、連棟式組立建物を構築する方法について説明する。図６は、一階建ての組立建物を構築する場合を示し、図７は、二階建ての組立建物を構築する場合を示している。
【００４８】
一階建ての組立建物を構築する場合は、図６に示されているように、複数のユニット構造物Ｕａ，Ｕｂを並べて設置するものである。図では、第１のユニット構造物Ｕａが既に設置された状態を示しているが、この既設のユニット構造物Ｕａもクレーン等によって吊り下げられて移動したものである。ここでは、連棟すべき第２のユニット構造物Ｕｂの移動の状態を説明する。まず、前述したような方法によって、吊下部材８の玉掛け部分８１を掛止突起６に掛止する。なお、ユニット構造物Ｕｂを吊下するため、屋根部材３の短辺側梁材３３，３４に二個ずつ（合計４個）の掛止突起６にそれぞれ吊下部材８の玉掛け部分８１が掛止されている。このとき、いずれの掛止突起６にも延長部材７が接続されており、玉掛け部材８１の掛止状態が容易に解除されない状態となっている。この状態で、四本の係止部材８を同時に（まとめて）吊り上げることにより、ユニット構造物Ｕｂを吊下するのである。
【００４９】
そして、この吊下した状態でユニット構造物Ｕｂを移動させ、所定の位置（既設のユニット構造物Ｕａに隣接する位置）まで移動し、その後、下降させて設置するのである。設置後は、延長部材７を取り外し、吊下部材８の玉掛け部分８１を掛止突起６から離脱させるのである。このとき、延長部材７の取り外しは、床部材１の短辺側梁材１３，１４における装着を解除すればよいことから、地上において行われることとなる。
【００５０】
次に、二階建ての組立建物を構築する場合であるが、この場合は、図７に示すように、一階部分を構成する第１および第２のユニット構造物Ｕａ，Ｕｂの上に第３および第４のユニット構成物Ｕｃ，Ｕｄを設置するものである。なお、図では、第３のユニット構造物Ｕｃが既に設置されているが、これもクレーン等で吊下した後に移動したものである。ここでは、第４のユニット構造物Ｕｄの移動の状態について説明する。
【００５１】
吊下部材８の玉掛け部分８１を掛止突起６に掛止させることは、一階建ての場合と同様であり、その後、クレーン等で吊下し、移動することも同様である。そして、所定の位置（図は第２のユニット構造物Ｕｂの上部）に移動した後、ユニット構造物Ｕｄを下降させて、二階部分を設置するのである。設置後において、吊下部材８の玉掛け部分８１の掛止状態を解除する場合は、やはり、床部材を構成する短辺側梁材１３，１４に装着されるブラケット部７０ｂを離脱させ、延長部材７を取り外すことによる。
【００５２】
しかしながら、図からも明らかなとおり、床部材１は、第２のユニット構造物Ｕｂの屋根部材の真上に位置することから、二階部分の屋根の高さに比較すれば、低位置である。そこで、この高さにおいてブラケット部７０ｂの装着を解除するために、脚立または足場台ＳＬを使用することができる。作業者の手が二階部分の床部材１に到達すれば作業は可能であるから、脚立または足場台ＳＬの高さは１ｍ〜１．５ｍ程度の高さであれば十分である。
【００５３】
なお、一階建ての組立建物を構築する場合（図６）および二階建て組立建物を構築する場合（図７）のいずれの場合も、既設のユニット構成物Ｕａ，Ｕｃに隣接して設置されるユニット構成物Ｕｂ，Ｕｄの屋根部材３には、屋根カバー５が予め設置され、所定位置に設置した状態で、ユニット構造物Ｕａ〜Ｕｄが隣接する際に形成される屋根の間隙部分を覆うようにしている。このように屋根カバー５の設置作業を不要とすることにより、作業者は、屋根上で行う作業から開放されることとなり、前述のように吊下部材８の掛止および解除の作業を低い位置で行えることが、一層重要となるものである。
【００５４】
以上のように、吊下部材の掛止構造および掛止方法にかかる実施形態においては、屋根部材の高さにおいて作業することを回避できることから、高所における作業を回避し得るとともに、低い位置での作業によるものであっても、極めて容易に吊下部材を掛止しまたは解除できることとなる。従って、構築するための期間を短縮することができる。特に、高所での作業を可能な限り一部に限定することができることから、転落防止のための設備を不要または少なくすることができ、工事期間の短期化を図ることができるとともに、作業員が転落する可能性を極めて低くすることができるものである。
【００５５】
本発明の実施形態は上記のとおりであるが、本発明が上記実施形態に限定されるものではなく、種々の態様に変形することが可能である。例えば、掛止突起６は円形断面に限定されるものではない。この場合、延長部材７の上端開口部７１は、掛止突起６に装着できる形状とすればよいものである。また、延長部材７の本体部７０ａは筒状に限定されず、棒状または板状としてもよい。本体部７０ａを板状とする場合には、ブラケット部７０ｂは、当該本体部７０ａを折曲して構成することも可能である。さらに、延長部材７の上端７１は、掛止突起６との接続を容易とするために開口させているが、掛止突起６が円筒状であれば、その円筒内部に挿入できる構成としてもよい。
【００５６】
なお、上記実施形態においては、掛止突起６の内部構造については特に説明しなかったが、屋根部材３の端縁側梁材３３，３４は、断面コ字形とすることにより、屋根の表面側において雨樋を形成させることが可能であることから、当該雨樋に到達する貫通孔を設けることにより、延長部材７を取り外した後の掛止突起６に垂直樋を接続することにより、掛止のための部材のみならず、垂直樋への雨水の排水手段として機能させることができる。
【００５７】
また、二階建ての組立建物の構築方法を示す図７には、外階段および踊り場が示されているが、この外階段および踊り場を先に設置することによって、踊り場において作業することも可能となる。この場合には、脚立または足場台ＳＬを用いることなく作業できる場合があり得る。また、図６および図７に示されるユニット構造物Ｕは、設置前に壁部材や窓部材などのパネルが装着された状態となっているが、これらのパネルは、設置の前（吊り上げる前）に予め装着してもよいが、設置後に装着してもよい。
【符号の説明】
【００５８】
１  床部材
２  柱部材
３  屋根部材
４  屋根表面部材
５  屋根カバー
６，１０６，２０６  掛止突起
７，１０７，２０７  延長部材
８，１０８，２０８  吊下部材
１０  床板
１１，１２  床部材の長辺側梁材
１３，１４  床部材の短辺側梁材
１５，１６，１７，１８  接合部
２１，２２，２３，２４  柱
３１，３２，３１ａ，３１ｂ，３２ａ，３２ｂ  屋根部材の長辺側梁材
３３，３４，３３ａ，３３ｂ，３４ａ，３４ｂ  屋根部材の短辺側梁材
４１  屋根表面部材の突起部
６１，６２  梁材の平面部
６３  梁材の連続部
７０ａ  延長部材の本体部
７０ｂ  延長部材のブラケット部
７１  延長部材の上端開口部（接続部）
７２  延長部材の下端
７３  ブラケット部の接合領域
７４  ブラケット部の装着領域
７５，７６  ブラケット部の貫通孔
７７，７８  本体部の貫通孔
７９  装着領域の貫通孔
８１，１８１，２８１  吊下部材の玉掛け部分（環状部）
Ｕ，Ｕａ，Ｕｂ，Ｕｃ，Ｕｄ  ユニット構造物
ＳＬ  足場台（または脚立）
【図１】
2015021311.tif 000003
【図２】
2015021311.tif 000004
【図３】
2015021311.tif 000005
【図４】
2015021311.tif 000006
【図５】
2015021311.tif 000007
【図６】
2015021311.tif 000008
【図７】
2015021311.tif 000009